(57)【特許請求の範囲】
【請求項１】
一端の開口部から他端に向けて毛髪束を挿入可能なようにシートにより構成された筒状体を有する毛髪保持具であって、
前記筒状体は、前記一端の開口部の近傍に、一対の挟持部を備えたクリップ型固定具を一体化させ得る一体化手段を有しており、該筒状体と一体化した状態の前記クリップ型固定具の操作により、前記一端の開口部を開閉させ得るようになされており、
前記一体化手段として、前記筒状体の相対向する一方の面側と他方の面側のそれぞれに、前記クリップ型固定具の前記挟持部それぞれを挿通可能な挿通部を有しており、前記一方の面側と前記他方の面側とで、該挿通部が、該筒状体の幅方向における異なる位置に形成されている、毛髪保持具。
【請求項２】
前記筒状体と前記クリップ型固定具とからなる請求項１記載の毛髪保持具。
【請求項３】
一端の開口部から他端に向けて毛髪束を挿入可能なようにシートにより構成された筒状体を有する毛髪保持具であって、
前記筒状体とクリップ型固定具とからなり、
前記筒状体は、前記一端の開口部の近傍に、一対の挟持部を備えた前記クリップ型固定具を一体化させ得る一体化手段を有しており、該筒状体と一体化した状態の前記クリップ型固定具の操作により、前記一端の開口部を開閉させ得るようになされており、
前記一体化手段として、前記筒状体の相対向する一方の面側と他方の面側のそれぞれに、前記クリップ型固定具の前記挟持部それぞれを挿通可能な挿通部を有しており、該クリップ型固定具は、一方の挟持部と他方の挟持部とで長さが異なっている、毛髪保持具。
【請求項４】
少なくとも一方の前記挟持部は、前記筒状体の一方の側端部と他方の側端部との間における、少なくとも何れか一方の側端部寄り部分を除く部分と一体化されるようになされている請求項１〜３のいずれか１項に記載の毛髪保持具。
【請求項５】
一対の挟持部それぞれが、前記筒状体の一方の側端部から他方の側端部までの距離の８０％以下の部分と一体化されるようになされている請求項４に記載の毛髪保持具。
【請求項６】
前記クリップ型固定具又は前記筒状体に、前記挿通部に挿通した前記挟持部が該挿通部から抜けることを防止する手段が設けられている請求項２〜５のいずれか１項に記載の毛髪保持具。
【発明の詳細な説明】
【技術分野】
【０００１】
本発明は、所定量の毛髪を、染毛又はパーマ等することのできる毛髪保持具に関する。
【背景技術】
【０００２】
従来、所定量の毛髪を、染毛又はパーマ等することのできる筒状体から構成される毛髪保持具が知られている。この種の毛髪保持具は、可撓性の筒状体から構成されており、該筒状体における一方の端部から、毛髪束が該筒状体内へ挿入されるようになされている。例えば、毛髪束の染毛を行なう際には、筒状体の内部に染毛剤を注入し、筒状体の内部で染毛剤が毛髪束に塗布される。
【０００３】
筒状体の形成材料として、染毛剤に対して、非透過性の材料を用いることにより、毛髪保持具に挿入されている毛髪以外の毛髪が染毛されることが防止されるので、毛髪の部分的な染毛に効果的である。
【０００４】
例えば、本出願人は、先に特許文献１において、一端部に毛髪取り込み口を有する細長形状の可撓性材料からなる筒状体から構成されており、該筒状体に保持された毛髪を所定の形状に巻き上げ、湾曲又は屈曲させる巻き上げ手段が備えられている毛髪保持具を提案している。
【０００５】
また、特許文献２には、一端の開口部から他端に向けて毛髪束を挿入可能な筒状体から構成されており、該筒状体は柔軟な材料から形成されている毛髪保持具が開示されている。また、特許文献２には、筒状体の両端部それぞれに、バネ構造体からなる環状の封鎖手段を設けることが記載されている。
【０００６】
また、特許文献３には、一端の開口部から他端に向けて毛髪束を挿入可能なようにシートにより構成された筒状体からなり、該筒状体は毛髪処理剤を備えている毛髪保持具が開示されている。
【０００７】
【特許文献１】特開平２００３−９３１３３号公報
【特許文献２】米国特許出願公開第２００４−２１６７５９号明細書
【特許文献３】特開平２００４−４１７２３号公報
【発明の開示】
【発明が解決しようとする課題】
【０００８】
特許文献１記載の毛髪保持具においては、頭髪の一部を筒状体に挿入した状態で、巻き上げ手段を操作することにより、筒状体とその内部に挿入された毛髪束とが一体的に変形し、それにより、毛髪保持具が毛髪束に固定される。しかし、筒状体内部の毛髪束に毛髪保持具を固定するのみでは、毛髪処理の操作中に、筒状体が毛髪束の当初の固定位置からずり落ちる場合がある。例えば、巻き上げ手段で毛髪束を充分に巻き上げない状態等においては、ずり落ちが生じやすい。
特許文献２記載の毛髪保持具も、毛髪処理の操作中に毛髪束からずり落ちやすい。
【０００９】
毛髪保持具を毛髪束に固定する方法として、筒状体に毛髪束を挿入した後に、一対の挟持部を備えたクリップ型固定具で、該筒状体の開口部を閉じ、該開口部で毛髪束を挟み込むことが考えられる。クリップ型固定具は、簡便に毛髪保持具を固定できる点で便利であるが、クリップ型固定具には、筒状体の開口部を開く機能はない。
【００１０】
特許文献３記載の毛髪保持具においては、前記封鎖手段により筒状体の両端部を開閉させることができる。しかし、特許文献３の封鎖手段は、筒状体、延いては毛髪保持具の製造コストを増大させる。
【００１１】
従って、本発明の目的は、筒状体の内部への毛髪束の挿入及び該毛髪束への筒状体の固定を容易且つ迅速に行うことができる毛髪保持具を提供することにある。
【課題を解決するための手段】
【００１２】
本発明は、一端の開口部から他端に向けて毛髪束を挿入可能なようにシートにより構成された筒状体を有する毛髪保持具であって、前記筒状体は、前記一端の開口部の近傍に、一対の挟持部を備えたクリップ型固定具を一体化させ得る一体化手段を有しており、該筒状体と一体化した状態の前記クリップ型固定具の操作により、前記一端の開口部を開閉させ得るようになされている毛髪保持具を提供することにより、上記目的を達成したものである（以下、第１発明という場合はこの発明をいう）。
【００１３】
本発明は、一端の開口部から他端に向けて毛髪束を挿入可能なようにシートにより構成された筒状体と、一対の挟持部を備えたクリップ型固定具とからなる毛髪保持具であって、前記筒状体は、前記一端の開口部の近傍に、前記クリップ型固定具が一体化されており、該クリップ型固定具の操作により、前記一端の開口部を開閉させ得るようになされている毛髪保持具を提供するものである、上記目的を達成したものである（以下、第２発明という場合はこの発明をいう）。
【発明の効果】
【００１４】
本発明の毛髪保持具によれば、筒状体の内部への毛髪束の挿入及び該毛髪束への筒状体の固定を容易且つ迅速に行うことができる。
【発明を実施するための最良の形態】
【００１５】
以下、本発明をその好ましい実施形態に基づいて説明する。
第１発明の一実施形態（以下、第１実施形態ともいう）である毛髪保持具１は、図１〜図３に示すように、一端の開口部２１から他端の開口部２２に向けて毛髪束Ｈを挿入可能なようにシート２３、２３により構成された筒状体２を有しており、毛髪束Ｈを染毛するために用いられる。
毛髪保持具１における筒状体２は、一端の開口部２１の近傍に、一対の挟持部を備えたクリップ型固定具３を一体化させ得る一体化手段を有しており、該筒状体２に一体化した状態の前記クリップ型固定具３の操作により、前記一端の開口部２１を開閉させ得るようになされている。本発明における一体化には、一体化した後に所定の操作により分離可能な場合も含まれる。
【００１６】
第１実施形態の毛髪保持具１について以下に詳述する。
筒状体２は、図１に示すように、縦長であり、一端の開口部２１から他端の開口部２２に向けて毛髪束Ｈを挿入可能なように構成されている。また、筒状体２は、一対の縦長矩形状のシート２３、２３により構成されている。一対のシート２３、２３は、筒状体２の長手方向の側端部２４ａ，２４ｂにおいて、それぞれの側端部同士が接合されて筒状体とされている。一対のシート２３、２３それぞれは、柔軟であり、筒状体２は可撓性を有している。
【００１７】
筒状体２の長さは、処理すべき毛髪の長さに応じて適切な長さとされ、好ましくは処理すべき毛髪の長さよりも長くなっている。また、筒状体２の開口部２１、２２の形状は、自然状態において細長い長円形状であり、その大きさは、挿入する毛髪束の量に応じて適切な大きさとされる。
一般に、筒状体２の長さは５０〜６００ｍｍ程度であり、開口部２１，２２の大きさは、筒状体２の相対向する一方の面側Ｆと他方の面側Ｒとを密着ないし略平行とした状態で測定した、該筒状体２の一方の側端部２４ａから他方の側端部２４ｂまでの距離Ｗ〔図４（ａ）参照〕が、５〜１０  ｍｍ程度である。前記距離Ｗは、開口部２１，２２それぞれの内面側の周長の１／２の長さに等しい。また、開口部２１，２２の大きさは、それぞれの開口状態において、長径５〜１００ｍｍ、短径２〜４０ｍｍ程度の範囲である。長径と短径が等しい場合には筒状体２の開口部２１、２２は円形状となる。
【００１８】
一対のシート２３、２３は、染毛剤に対して、非透過性の材料から形成されており、染毛剤が筒状体２の側面から外に漏れ出すことはない。その結果、毛髪保持具１に挿入されている毛髪束以外の毛髪が染毛されることが防止される。従って、本実施形態の毛髪保持具１を用いた染毛処理は、頭部における毛髪の部分的な染毛に適している。
【００１９】
また、染毛剤は、毛髪保持具１内に比較的気密状態で存在することになるので、染毛剤に揮発成分が含まれている場合には、染毛中に該揮発成分が揮発することが防止され、染毛処理を効率的に行えるという利点もある。
【００２０】
毛髪保持具１を染毛に用いる場合、前述した一対の２３、２３の形成材料としては、ポリエチレン等からなる樹脂フィルムや、そのような樹脂フィルムと織布、織物等とのラミネート体等等が好ましく用いられる。
【００２１】
本実施形態の毛髪保持具１の筒状体２は、一対の挟持部３１，３２を備えたクリップ型固定具３を一体化させ得る一体化手段として、該筒状体２の相対向する一方の面側Ｆと他方の面側Ｒのそれぞれに、一対の挟持部３１，３２それぞれを挿通可能な挿通部４，４を有している。
【００２２】
本実施形態における挿通部４，４は、一方の面側Ｆと他方の面側Ｒのそれぞれにおける、前記シート２３の外面側に、図２（ａ）に示すように、帯状体４１を、その両端部４１ａ，４１ｂをシート２３に接合した状態に設け、該帯状体４１における、シート２３に接合されていない中央部分とシート２３との間にクリップ型固定具３の挟持部３１（３２）を貫通させ得るようにして構成されている。
従って、クリップ型固定具３を、図３又は図４に示すように、一対の挟持部３１（３２）を、一対の挿通部４，４それぞれに挿通するようにして、筒状体２の一端開口部近傍に取り付けることで、一対の挟持部３１，３２それぞれの一部が、筒状体２の一部と一体化される。
【００２３】
そして、筒状体２と一体化した状態のクリップ型固定具３を操作することにより、図４（ｂ）に示すように、筒状体２の開口部２１を容易且つ迅速に開口させることができ、また、図４（ａ）に示すように、一端の開口部２１を容易且つ迅速に閉鎖させることができる。
【００２４】
クリップ型固定具３は、一対の挟持部３１,３２がそれぞれの一端部において結合されており、一対の挟持部３１,３２間に毛髪束を挟んで、該毛髪束に固定することができるものである。
本発明において、毛髪保持具と共に又は毛髪保持具の一部として好ましく用いられるクリップ型固定具３は、図４に示すように、一対の挟持部３１,３２が支軸３３で回動可能に結合されており、且つ支軸３３に設けられたバネ（図示せず）により一対の挟持部３１,３２間が閉じる方向に付勢されているものである。このようなクリップ型固定具３は、一対の挟持部３１,３２それぞれの一端部に連続して形成された摘み部３４，３５を手で摘んだり手を離したりするという簡単な操作により一対の挟持部３１,３２間を開閉でき、その開閉に連動させて、筒状体２の開口部２１を開閉させることができる。
【００２５】
クリップ型固定具としては、摘み部３４，３５を有しないものを用いることもできる。例えば、バネ弾性を有する金属からなる一対の挟持部３１,３２がそれぞれの一端部において積層されて結合されており、一対の挟持部３１,３２を一体的に反らせることにより、両者間が開き、反対側に反らせることにより、両者間を閉鎖できるもの等を用いることができる。
【００２６】
本実施形態の毛髪保持具１によれば、クリップ型固定具３のきわめて簡単な操作により、開口部２１を容易に開口させることができるので、後述する毛髪挿入具等を用いて、毛髪束Ｈを、該開口部２１から筒状体２内に容易且つ迅速に挿入することができる。
また、筒状体２内に毛髪束Ｈが挿入された状態で、前記一端の開口部２１を閉鎖することにより、開口部２１に毛髪束Ｈが挟まれ、それによって、該筒状体２を該毛髪束Ｈに容易且つ安定的に固定することができる。尚、開口部２１の閉鎖は、このような固定ができれば充分であり、筒状体２の両側端部２４ａ，２４ｂ間の全域に亘って、相対向する一方の面側Ｆと他方の面側Ｒとの間が密着することを要求するものではない。
【００２７】
本実施形態の毛髪保持具１においては、挟持部３１（３２）を挿通部４，４に貫通させることにより、一対の挟持部３１，３２それぞれが、筒状体２の一方の側端部２４ａと他方の側端部２４ｂとの間〔図４（ａ）中、Ｐで示す範囲、以下、両側端部２４ａ，２４ｂ間ともいう〕における、一方の側端部２４ａ寄り部分Ｓ１と他方の側端部２４ｂ寄り部分Ｓ２とを除く部分と一体化される。即ち、筒状体２の両側端部２４ａ，２４ｂ間における中央領域Ｃに、クリップ型固定具３の挟持部３１（３２）が一体化される。
【００２８】
クリップ型固定具３の挟持部３１，３２を、図４（ｃ）に示すように、筒状体２の両側端部２４ａ，２４ｂ間の略全域に一体化させた場合には、図４（ｃ）に示すように、クリップ型固定具３を操作しても、筒状体２の開口部２１を大きく開口させることができないことがある。
本実施形態の毛髪保持具１のように、一対の挟持部３１，３２それぞれを、筒状体２の両側端部２４ａ，２４ｂ間における、クリップ型固定具３の挟持部先端側に位置する方の、前記側端部２４ｂ寄り部分Ｓ２を除く部分と一体化させることにより、図４（ｂ）に示すように、筒状体２の開口部２１を大きく開口させることができ、筒状体２内部への毛髪束の挿入を一層容易に行うことができる。
更に本実施形態においては、一対の挟持部３１，３２それぞれを、筒状体２の両側端部２４ａ，２４ｂ間における、一方の側端部２４ａ寄り部分Ｓ１と他方の側端部２４ｂ寄り部分Ｓ２とを除く部分と一体化させることにより、筒状体２の開口部２１をより一層大きく開口させることができ、筒状体２内部への毛髪束の挿入をより一層容易に行うことができる。しかも、一方の挟持部３１を挿通する挿通部と他方の挟持部３２を挿通する挿通部とを逆にしても同様の効果が得られる。
【００２９】
第１発明の毛髪保持具１においては、後述する実施例の結果に示されている様に、一対の挟持部３１，３２それぞれが、筒状体の一方の側端部から他方の側端部までの距離の８０％以下の部分と一体化されるようになされていることが、開口量の大きさ及び毛髪の挿入にし易さの面で好ましく、６０％以下の部分と一体化されるようになされていることがより好ましい。本実施形態の毛髪保持具１においては、帯状体４１の幅（挟持部挿入方向の寸法）が、上記範囲内であることが好ましい。
【００３０】
尚、筒状体２の両側端部２４ａ，２４ｂ間における、一方の側端部２４ａ寄り部分Ｓ１と他方の側端部２４ｂ寄り部分Ｓ２は、概ね、両側端部２４ａ，２４ｂ間の前記距離Ｗを１０等分するようにして、該両側端部２４ａ，２４ｂ間を１０の領域に区分したときの両端の２領域である。挿通部４（一体化手段）を形成する帯状体４１は、挟持部３１の挿入方向前後の端縁４２，４３〔図２（ａ）参照〕が、上記のように両側端部２４ａ，２４ｂ間を１０の領域に区分したときの中央の８領域内に存することが好ましい。第１発明の一体化手段としての挿入部４や第２発明における固定部４Ａは、それぞれ、筒状体の前記両側端部２４ａ，２４ｂ間の距離Ｗを５等分するようにして、該両側端部２４ａ，２４ｂ間を５つの領域に区分したときの、中央の３領域内に存することがより好ましい。
【００３１】
本実施形態の毛髪保持具１においては、挿通部４，４を介して、クリップ型固定具３を筒状体２に脱着自在に取り付けることができる。そのため、筒状体２は、１回の使用により廃棄する一方、クリップ型固定具３は、繰り返して使用するという使い方も可能である。クリップ型固定具３の形成材料としては、従来公知の各種ヘアクリップと同様の材料を用いることができるが、特に染毛剤による腐食、変色等の化学反応を起さないものが好ましい。この種の材料としては、例えばポリプロピレン、ポリアセタール、ポリエチレン等の樹脂材料等が好ましい。また、染毛剤による腐食、変色等の化学反応を有する材料であっても、その表面に該染毛剤に対して化学的に不活性な樹脂又は金属等を被覆してあるものも好ましく用いることができる。
【００３２】
本実施形態の毛髪保持具１における上記挿通部４，４は、図４（ａ）に示すように、筒状体２の相対向する一方の面側Ｆと他方の面側Ｒとで面対称の位置に形成されており、従って、一方の面側Ｆと他方の面側Ｒとで、該挿通部４，４が、筒状体の幅方向〔図４（ａ）における左右方向〕における同じ位置に形成されているが、筒状体２の相対向する一方の面側Ｆと他方の面側Ｒとで、筒状体２の幅方向における挿通部４，４の位置を異ならせることもできる。
例えば図５（ａ）に示すように、筒状体２の相対向する一方の面側Ｆと他方の面側Ｒとで、筒状体２の幅方向における挿通部４，４の位置を異ならせると、クリップ型固定具３を、筒状体２に一体化させる際に、挟持部３１，３２を、それぞれの挿通部４，４に挿通することが容易となり、クリップ型固定具３の筒状体２への取り付けを容易且つ迅速に行うことができる。
また、図５（ｂ）に示すように、一方の挟持部３１と他方の挟持部３２とで長さが異なるクリップ型固定具３を用いた場合にも、挟持部３１，３２を、それぞれの挿通部４，４に挿通することが容易となり、クリップ型固定具３の筒状体２への取り付けを容易且つ迅速に行うことができる。
【００３３】
また、図５（ｃ）に示すように、クリップ型固定具３として、一方又は双方の挟持部３１，３２に、挿通部４，４に挿通した挟持部３１，３２が該挿通部４，４から抜けることを防止する手段３６を設けたものを用いることも好ましい。図５（ｃ）に示す抜け防止手段３６は、挿通部４，４の開口部４２，４３に係合する突起であり、挟持部３１が挿通部４から引き抜かれることに対して抵抗を示す。このような抜け防止手段を設けることで、筒状体２への取り付けの容易と取り付けた後の脱落のしにくさとを両立させることができる。また、抜け防止手段として、粘着剤や機械的面ファスナーを、クリップ型固定具３や筒状体２の外面、挿通部４の内面等に設け、クリップ型固定具３と筒状体２との間にズレが生じないようにして、クリップ型固定具３の挿通部４からの抜けを防止するようにしても良い。
【００３４】
本実施形態の毛髪保持具１について、更に説明すると、筒状体２の下端部２６には、筒状体２の内部に注入された染毛剤が、他端の開口部２２から流れ出ることを防止するために、開閉自在の封止手段が設けられていることが好ましい。
前記封止手段としては、例えば、チャックが挙げられる。下端部２６にチャックが設けられることにより、他端の開口部２２の開閉が行なえる。封止手段としては、チャックの他に、機械的面ファスナー、粘着テープ、自己接着性テープ〔例えば仁礼工業製のふしぎテープ（商品名）〕などを用いることもできる。
【００３５】
また、アルミ箔のように可塑性を有し、折り畳んだ状態が維持される部材を下端部２６に接合して、それを、封止手段とすることも好ましい。例えば、筒状体２と同じ幅の縦長矩形のアルミ箔を、下端部２６側の端縁と端縁同士を揃えて接合する。アルミ箔が接合された下端部２６の部分を上方に向けて一回又は複数回の折り畳むことにより、筒状体２の下端部が封止される。
【００３６】
筒状体２と組み合わせて用いるクリップ型固定具３は、毛髪束への確実な固定や染毛剤等の開口部２１からの漏れ出し防止の観点から、一対の挟持部３１，３２それぞれの長さが、筒状体２の両側縁端２４ａ，２４ｂ間の前記距離Ｗの９０％以上の長さであることが好ましく、前記距離Ｗの９０〜１５０％の長さであることがより好ましい。
また、筒状体２の長手方向において、一体化手段を設ける位置は、前記一端の開口部２１の開口端からの距離が２０ｍｍまでの範囲内であることが好ましく、開口端からの距離が１０ｍｍまでの範囲内であることがより好ましい。
【００３７】
本実施形態の毛髪保持具１は、染毛処理をする際に、毛髪束Ｈを一端の開口部２１から筒状体２の内部へ挿入するために、毛髪挿入具を用いることも好ましい。毛髪挿入具は、長手方向の一端部に毛髪束Ｈを係止するための係止部を有し、他端部に把持部を有しており、予め又は使用に際して、筒状体に挿入され、且つ該筒状体の一端の開口部から前記係止部が延出し、筒状体の他端の開口部から前記把持部が延出した状態とされて用いられるものが好ましい。このような毛髪挿入具としては、例えば、前述した特開平２００３−９３１３３号公報又は米国特許出願公開第２００４−２１６７５９号の明細書等に記載のものが挙げられる。
【００３８】
次に、前述した毛髪保持具１と上記の好ましい毛髪挿入具とを用いた染毛処理の一例について説明する。染毛する際に用いる毛髪保持具１における筒状体２の長さは、毛髪束Ｈの長さよりも長いものを用いることが、毛髪束Ｈ全体を染毛する上で好ましい。
【００３９】
毛髪挿入具の係止部が一端の開口部２１から延出し、把持部が他端の開口部２２から延出した状態の毛髪保持具１を用意し、一対の挟持部３１，３２を筒状体２の挿通部４，４に挿通することによって、毛髪保持具１の一端の開口部２１の近傍にクリップ型固定具３を取り付ける。
【００４０】
そして、毛髪挿入具の係止部に毛髪束Ｈを係止する。この際、毛髪束Ｈの頭皮に近い部分を係止部に係止することが好ましい。次に、クリップ型固定具３の一対の挟持部３１，３２間を開いて、筒状体２の開口部２１を開口させ、その状態で、係止部に毛髪束Ｈを係止したまま、把持部を引っ張り、毛髪束Ｈを筒状体２の内部に挿入する。毛髪束Ｈは、筒状体２の内部で、概ね直線状に伸ばされた状態となる。
そして、筒状体２の開口部２１が毛髪束Ｈの適切な位置にあることを確認したのち、クリップ型固定具３の一対の挟持部３１，３２間を閉じて、筒状体２の開口部２１を閉鎖させ、該筒状体を毛髪束Ｈに固定する。
【００４１】
次に、筒状体２の他端の開口部２２から、染毛剤を注入し、下端部２６側から上端部２５側へ向けて、筒状体２を指でしごいて、染毛剤を毛髪束Ｈに塗り広げる。更に、前記封止手段が筒状体２に設けられている場合には、下端部２６を封止する。
【００４２】
所望により複数の毛髪保持具を用いて同様の操作を繰り返し、所定時間放置する。
放置後、筒状体２からクリップ型固定具３を取り外すか、あるいはクリップ型固定具３を操作して筒状体２の開口部を開き、その状態で、毛髪束Ｈを毛髪保持具１から取り出す。そして、すすぎ洗いをし、更に所望によりシャンプー及びブローを行う。
【００４３】
次に第２発明の一実施形態（以下、第２実施形態ともいう）である毛髪保持具１Ａについて、図６を参照しながら説明する。第２実施形態については、主として第１実施形態との相違点について説明し、同様の点については同一の符号を付して説明を省略する。特に説明しない点（好ましい構成も含む）については、第１実施形態と同様であり、第１実施形態に関して上述した説明が適宜適用される。
【００４４】
第２実施形態の毛髪保持具１Ａにおいては、図６に示すように、筒状体２の一端の開口部２１の近傍における該筒状体２の外面に、クリップ型固定具３が、接合されて一体化されている。接合方法としては、超音波シール、インパルスシール、ヒートシール、接着剤、両面テープ等が挙げられる。
【００４５】
毛髪保持具１Ａは、筒状体２の相対向する一方の面側Ｆと他方の面側Ｒのそれぞれに、クリップ型固定具３の挟持部３１が固定された固定部４Ａを有しており、何れの面側においても、その固定部４Ａは、筒状体２の両側端部２４ａ，２４ｂ間Ｐにおける、クリップ型固定具３の支軸３３側に位置する方の前記側端部２４ａ寄り部分Ｓ１及びクリップ型固定具３の挟持部先端側に位置する方の前記側端部２４ｂ寄り部分Ｓ２の両方の部分Ｓ１，Ｓ２を除く部分である中央領域Ｃに設けられている。尚、筒状体２の相対向する一方の面側Ｆと他方の面側Ｒとで、固定部４Ａは面対称の位置に形成されている。
【００４６】
第２実施形態の毛髪保持具１Ａにおいても、クリップ型固定具３の簡単な開閉操作により、開口部２１を容易に開閉させることができ、そのため、第１実施形態と同様に、筒状体２の一端の開口部２１への毛髪束の挿入及び該毛髪保持具の毛髪束への固定を容易且つ迅速に行うことができる。また、固定部４Ａが、筒状体２の両側端部２４ａ，２４ｂ間における、前記部分Ｓ２を除く部分、特に中央領域Ｃに設けられているので、開口部２１をより大きく開口させることができ、毛髪束の挿入が一層容易である。
【００４７】
本発明（第１発明、第２発明）の毛髪保持具は、前述した各実施形態に制限されることなく、本発明の趣旨を逸脱しない限り適宜変更が可能である。
例えば、第１発明の毛髪保持具は、毛髪保持具のみからなるものであっても、毛髪保持具とクリップ型固定具とからなるものであっても良い。
また、第１発明における一体化手段として、筒状体２の外面に機械的面ファスナーのオス材又はメス材を設け、クリップ型固定具３の挟持部に、機械的面ファスナーのメス材とオス材を設けても良い。第１発明における一体化手段として、筒状体２の外面に粘着剤や両面テープを設けると共にそれらを剥離紙等で被覆しておき、使用に際して該剥離紙を剥離して粘着面や接着剤を露出させるようにしても良い。
また、第１発明における一体化手段及び第２発明における固定部は、それぞれ、筒状体の両側端部２４ａ，２４ｂ間における、クリップ型固定具３の挟持部先端側に位置する方の側端部２４ｂ寄り部分Ｓ２のみに一体化又は固定されていなくても良い。即ち、クリップ型固定具３の支軸３３側に位置する方の側端部２４ａ寄り部分Ｓ１は、挟持部が一体化されるようになされていても良いし、挟持部が固定されていても良い。
【００４８】
第１発明における一体化手段としての挿通部４は、筒状体を形成するシート２３に帯状体４１を固定して形成するのに代えて、図７に示すように、筒状体を形成するシート２３に一対の開孔４２，４３を形成し、それら両開孔４２，４３間を、挟持部３１，３２を挿通可能な挿入部４とすることもできる。この場合、筒状体内面の該挿通孔周辺に不織布の様な摩擦抵抗の高い部材を貼ることで、挿通孔に挿通された挟持部が該挿通部から抜けることを防止することができる。
また、筒状体の外面に帯状体を固定して挿通部４を形成するのに代えて、正方形や他の任意の形状のシート材等を固定して挿通部を形成することもできる。また、もともと筒状に形成された部材を、その軸長方向を筒状体２の幅方向に向けて固定しても良い。
【００４９】
また、クリップ型固定具３の両方の挟持部３１，３２を、該筒状体の両側端部２４ａ，２４ｂ間の上述した好ましい位置に一体化させる構成とするのに代えて、一方の挟持部のみを上述した好ましい位置に一体化させる構成とすることもできる。第２発明の固定部４Ａについても同様である。
【００５０】
また、本発明の毛髪保持具を用いて、ストレートパーマネント処理を行うことも好ましい。例えば、ストレートパーマネント処理を行う場合には、毛髪処理剤としてのパーマネント処理液を毛髪に塗布する必要がある。この場合には、筒状体２を形成する一対のシート２３，２３の内の一方又は双方として、パーマネント処理液が透過する材料を用いることが好ましい。パーマネント処理を施す部位の毛髪束Ｈを、毛髪保持具１内に保持した後に、毛髪保持具１の外側から、パーマネント処理液を供給し、該パーマネント処理液が前記シートを透過して、毛髪束に塗布されるため、パーマネント処理を効率的に行なうことが可能となる。
【００５１】
前述した一の実施形態における説明省略部分及び一の実施形態のみが有する要件は、それぞれ他の実施形態に適宜適用することができ、また、各実施形態における要件は、適宜、実施形態間で相互に置換可能である。
【実施例】
【００５２】
図１〜図３に示す形態の毛髪保持具を作成した。但し、筒状体２の相対向する一方の面側Ｆと他方の面側Ｒのそれぞれに挿通部４を設け、挿通部の幅（挿通部の形成用の帯状体の幅と同じ，表１中「挿通帯」と表記）を表１に示す通りとした。挿通部の形成用の帯状体は、筒状体の一方の側端縁２４ａと他方の側端縁２４ｂとの間の中央にその帯状体の幅の中央が位置するようにした。
【００５３】
作成した各毛髪保持具に、図４に示す形態のクリップ型固定具を取り付け、開口部２１を開口させ、最大開口量〔図４（ｂ）参照〕を測定すると共に、毛髪を有する頭部モデルを用いて、それらの毛髪保持具に対する毛髪の挿入のし易さを評価した。評価基準及びそれらの結果を表１に示した。
【００５４】
【表１】
0004767043.tif 000002
【図面の簡単な説明】
【００５５】
【図１】図１は、毛髪保持具の第１実施形態を示す斜視図である。
【図２】図２は、図１の毛髪保持具の一端の開口部の近傍を拡大して示す部分拡大図であり、（ａ）は正面図、（ｂ）は（ａ）のＩＩ−ＩＩ線断面図である。
【図３】図３は、図１の毛髪保持具の一端の開口部の近傍を拡大して斜視図である。
【図４】図４は、一体化手段を設ける好ましい位置を示す図であり、（ａ）は、開口部が閉じた状態、（ｂ）は、開口部が開いた状態、（ｃ）は、開口部が僅かに開いた状態を示す模式図である。
【図５】図５は、第１実施形態の毛髪保持具の好ましい変形例を示す模式図である。
【図６】図６は、毛髪保持具の第２実施形態の要部を示す正面図である。
【図７】図７は、第１発明の他の第２実施形態の要部を示す斜視図（図３相当図）である。
【符号の説明】
【００５６】
１，１Ａ  毛髪保持具
２        筒状体
２１、２２  開口部
２３        シート
２４ａ，２４ｂ  側端部
２５        上端部
２６        下端部
３        クリップ型固定具
３１，３２  挟持部
４        挿通部（一体化手段）
４Ａ      固定部
Ｈ        毛髪束
【図１】
0004767043.tif 000003
【図２】
0004767043.tif 000004
【図３】
0004767043.tif 000005
【図４】
0004767043.tif 000006
【図５】
0004767043.tif 000007
【図６】
0004767043.tif 000008
【図７】
0004767043.tif 000009